(57)【要約】      （修正有）【課題】入退室を管理される部屋に在室する利用者が扉の解錠を制限できる入退室管理システムを提供する。【解決手段】入退室管理システムは、ＩＤを記憶している記憶部３と、情報媒体からＩＤを読み取る読取部２と、記憶部に記憶されているＩＤが読取部により読み取られた場合に扉の解錠を行う制御部５と、を備え、制御部は、第１の権限情報と関連付けられて記憶部に記憶されているＩＤが読取部により読み取られた後に当該ＩＤを有する情報媒体を用いた切換操作が行われた場合、記憶部に記憶されているＩＤが読取部により読み取られても扉の解錠を行わない無効状態となる。【選択図】図１
2015176411.tif 000002
【特許請求の範囲】
【請求項１】
識別情報を記憶している記憶部と、
情報媒体から識別情報を読み取る読取部と、
前記記憶部に記憶されている識別情報が前記読取部により読み取られた場合に扉の解錠を行う制御部と、
を備え、
前記制御部は、第１の権限情報と関連付けられて前記記憶部に記憶されている識別情報が前記読取部により読み取られた後に当該識別情報を有する情報媒体を用いた切換操作が行われた場合、前記記憶部に記憶されている識別情報が前記読取部により読み取られても前記扉の解錠を行わない無効状態となる入退室管理システム。
【請求項２】
前記制御部を遠隔制御することにより前記扉の解錠を行う遠隔管理システムを備え、
前記制御部は、前記無効状態である間は前記遠隔管理システムの遠隔制御による前記扉の解錠を行わない請求項１に記載の入退室管理システム。
【請求項３】
前記制御部は、前記無効状態であっても、第２の権限情報と関連付けられて前記記憶部に記憶されている識別情報が前記読取部により読み取られた際は前記扉の解錠を行う請求項１又は２に記載の入退室管理システム。
【請求項４】
前記制御部は、前記無効状態であるときに前記切換操作が再度行われた場合は前記扉の解錠を行うことが可能な状態に戻る請求項１から３のいずれか１項に記載の入退室管理システム。
【請求項５】
前記制御部は、前記無効状態となってから予め設定された時間が経過した場合は前記扉の解錠を行うことが可能な状態に戻る請求項１から４のいずれか１項に記載の入退室管理システム。
【請求項６】
前記制御部は、前記無効状態であるときに前記切換操作に用いられた情報媒体が前記扉を通って移動された場合は前記扉の解錠を行うことが可能な状態に戻る請求項１から５のいずれか１項に記載の入退室管理システム。
【発明の詳細な説明】
【技術分野】
【０００１】
本発明は、入退室管理システムに関するものである。
【背景技術】
【０００２】
下記特許文献１には、入退室管理システムが記載されている。この入退室管理システムでは、入退室を管理される部屋の扉を遠隔制御により解錠することが可能である。遠隔制御は、予め遠隔制御を行う権限を付与された者のみが実行できる。
【先行技術文献】
【特許文献】
【０００３】
【特許文献１】特開２０１３−１４０４６２号公報
【発明の概要】
【発明が解決しようとする課題】
【０００４】
特許文献１に記載の入退室管理システムでは、入退室を管理される部屋に在室する利用者が扉の解錠を制限することができない。
【０００５】
本発明は、上記の課題を解決するためになされた。その目的は、入退室を管理される部屋に在室する利用者が扉の解錠を制限できる入退室管理システムを提供することである。
【課題を解決するための手段】
【０００６】
本発明に係る入退室管理システムは、識別情報を記憶している記憶部と、情報媒体から識別情報を読み取る読取部と、記憶部に記憶されている識別情報が読取部により読み取られた場合に扉の解錠を行う制御部と、を備え、制御部は、第１の権限情報と関連付けられて記憶部に記憶されている識別情報が読取部により読み取られた後に当該識別情報を有する情報媒体を用いた切換操作が行われた場合、記憶部に記憶されている識別情報が読取部により読み取られても扉の解錠を行わない無効状態となるものである。
【発明の効果】
【０００７】
本発明における制御部は、切換操作が行われた場合に無効状態となる。このため、入退室を管理される部屋に在室する利用者が扉の解錠を制限することができる。
【図面の簡単な説明】
【０００８】
【図１】本発明の実施の形態１における入退室管理システムの構成図である。
【図２】本発明の実施の形態１における記憶部に記憶されている内容の一例を示す表である。
【図３】本発明の実施の形態１における制御部の状態の切り換え動作を示すフローチャートである。
【図４】本発明の実施の形態１における入退室管理システムの動作を示すフローチャートである。
【図５】本発明の実施の形態１における入退室管理システムで遠隔制御が行われた場合の動作を示すフローチャートである。
【図６】本発明の実施の形態１における入退室管理システムの具体的な実施例を示す模式図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における入退室管理システムの構成図である。以下、図１を参照して、入退室管理システムの構成を説明する。
【００１１】
入退室を管理される部屋には、扉１が設けられている。入退室管理システムは、読取部２、記憶部３、認証部４、制御部５及び遠隔管理システム６を備えている。読取部２は、例えば、部屋の外側において扉１付近等に設けられている。読取部２及び記憶部３は、認証部４と接続されている。認証部４は、制御部５と接続されている。制御部５は、扉１及び遠隔管理システム６と接続されている。遠隔管理システム６は、扉１が設けられた部屋とは異なる場所に設けられている。制御部５は、例えば、ネットワーク等を介して遠隔管理システム６と接続されている。
【００１２】
利用者は、識別情報を有する情報媒体を携帯している。識別情報は、情報媒体を特定するための情報である。実施の形態１では、情報媒体は、識別情報としてＩＤを有している。情報媒体は、例えば、ＩＣタグ及びＩＣタグを内蔵した携帯端末等である。ＩＣタグを内蔵した携帯端末は、操作部として押しボタンを搭載している。この携帯端末は、利用者のうち特定の管理者に限って携帯することを許可されている。実施の形態１では、利用者の大部分はＩＣタグを携帯し、特定の管理者がＩＣタグを内蔵した携帯端末を携帯している。
【００１３】
読取部２は、利用者が携帯する情報媒体から無線通信によりＩＤを読み取る。記憶部３は、適正なＩＤ及び適正なＩＤと関連付けられた情報を記憶している。適正なＩＤとは、入退室を管理される部屋への入室を許可されている利用者が携帯する情報媒体のＩＤである。認証部４は、読取部２により読み取られたＩＤを記憶部３に記憶されているＩＤと照合する。認証部４は、照合の結果、読取部２により読み取られたＩＤが記憶部３に記憶されていた場合に、当該ＩＤが適正であることを認証する。認証部４は、照合の結果、読取部２により読み取られたＩＤが記憶部３に記憶されていなかった場合に、当該ＩＤを認証しない。
【００１４】
制御部５は、認証部４による照合結果に基づいて扉１の施錠及び解錠を制御する。遠隔管理システム６は、制御部５を遠隔制御する。制御部５は、遠隔管理システム６による遠隔制御に基づいて扉１の施錠及び解錠を制御する。
【００１５】
制御部５の状態は、「有効状態」と「無効状態」とで切り換え可能である。「有効状態」の制御部５は、ＩＤが認証部４により認証された場合に扉１を解錠する。「有効状態」の制御部５は、ＩＤが認証部４により認証されなかった場合は扉１を解錠しない。「有効状態」の制御部５は、遠隔管理システム６による遠隔制御に基づいて扉１を解錠する。一方、「無効状態」の制御部５は、原則的に、ＩＤが認証部４により認証されても扉１を解錠しない。「無効状態」の制御部５は、遠隔管理システム６による遠隔制御を受け付けない。つまり、「無効状態」の制御部５は、遠隔制御に基づいて扉１を解錠することはない。
【００１６】
図２は、実施の形態１における記憶部３に記憶されている内容の一例を示す表である。図２には、適正なＩＤごとに、第１の権限情報及び第２の権限情報と関連付けられているか否かが示されている。第１の権限情報は、「切換権限」である。第２の権限情報は、「特権」である。図２によれば、ＩＤ「００００１」は、「切換権限」及び「特権」のいずれとも関連付けられていない。ＩＤ「００００２」は、「切換権限」と関連付けられている。ＩＤ「００００３」は、「特権」と関連付けられている。
【００１７】
「切換権限」は、制御部５の状態の切り換えを行う権限である。「切換権限」は、例えば、携帯端末のＩＤと関連付けられている。「特権」は、制御部５が「無効状態」のときにも扉１を解錠できる権限である。「特権」は、例えば、利用者のうちＶＩＰが携帯するＩＣタグのＩＤと関連付けられている。
【００１８】
ＩＣタグを内蔵した携帯端末は、利用者によって切換操作が行われると切換信号を送信する。切換操作は、例えば、押しボタンを押すことである。読取部２は、無線通信により携帯端末から切換信号を受信する。認証部４は、「切換権限」と関連付けられたＩＤが認証された後に読取部２が当該ＩＤを有する携帯端末から切換信号を受信した場合に、制御部５の状態を、「有効状態」と「無効状態」とで切り換える。
【００１９】
図３は、実施の形態１における制御部５の状態の切り換え動作を示すフローチャートである。以下、図３を参照して、制御部５の状態を「無効状態」又は「有効状態」に切り換える際の処理について説明する。
【００２０】
読取部２は、利用者が携帯する情報媒体からＩＤを読み取る。当該ＩＤが適正である場合、認証部４は、当該ＩＤを認証する（ステップＳ１０１）。次に、認証部４は、当該ＩＤが「切換権限」と関連付けられたＩＤであるか否か判定する（ステップＳ１０２）。ステップＳ１０２において、当該ＩＤが「切換権限」と関連付けられたＩＤであると判定された場合、利用者が切換操作を行うと、制御部５の状態が「無効状態」又は「有効状態」に切り換えられる（ステップＳ１０３）。一方、ステップＳ１０２において、当該ＩＤが「切換権限」と関連付けられたＩＤでないと判定された場合、制御部５の状態の切り換えは行われない。
【００２１】
図４は、実施の形態１における入退室管理システムの動作を示すフローチャートである。以下、図４を参照して、入退室管理システムで管理される部屋へ利用者が入室を試みる際の処理について説明する。
【００２２】
利用者が部屋に入室しようとすると、読取部２は、利用者が携帯する情報媒体からＩＤを読み取る（ステップＳ２０１）。認証部４は、当該ＩＤを記憶部３に記憶されているＩＤと照合することで、当該ＩＤが適正なＩＤであるか否か判定する（ステップＳ２０２）。ステップＳ２０２において、当該ＩＤが適正なＩＤであると判定された場合、制御部５が「有効状態」であるか否かの判定が行われる（ステップＳ２０３）。ステップＳ２０３において、制御部５が「有効状態」でないと判定された場合、当該ＩＤが「特権」と関連付けられたＩＤであるか否かの判定が行われる（ステップＳ２０４）。ステップＳ２０４において、当該ＩＤが「特権」と関連付けられたＩＤであると判定された場合、制御部５は、扉１を解錠する（ステップＳ２０５）。また、ステップＳ２０３において、制御部５が「有効状態」であると判定された場合、ステップＳ２０５に進む。これらの場合、利用者は部屋に入室できる。
【００２３】
一方、ステップＳ２０２において、当該ＩＤが適正なＩＤでないと判定された場合、入退室管理システムは処理を終了する。また、ステップＳ２０４において、当該ＩＤが「特権」と関連付けられたＩＤでないと判定された場合、入退室管理システムは処理を終了する。これらの場合、扉１は解錠されないため、利用者は部屋に入室できない。
【００２４】
図５は、実施の形態１における入退室管理システムで遠隔制御が行われた場合の動作を示すフローチャートである。以下、図５を参照して、遠隔管理システム６による遠隔制御で扉１の解錠が試みられる際の処理について説明する。
【００２５】
ステップＳ３０１において、遠隔管理システム６の利用者は、制御部５を遠隔制御することで扉１を解錠しようとする。ステップＳ３０１に続いて、制御部５が「有効状態」であるか否かの判定が行われる（ステップＳ３０２）。ステップＳ３０２において、制御部５が「有効状態」であると判定された場合、制御部５は、遠隔管理システム６による遠隔制御に基づいて扉１を解錠する（ステップＳ３０３）。一方、ステップＳ３０２において、制御部５が「有効状態」でないと判定された場合、制御部５は、遠隔管理システム６による遠隔制御を受け付けない。この場合、制御部５は、扉１を解錠しない。
【００２６】
図６は、実施の形態１における入退室管理システムの具体的な実施例を示す模式図である。図６に示す読取装置、認証装置及び制御装置は、それぞれ読取部２、認証部４及び制御部５に対応する装置である。図６に示す利用者Ａは、「切換権限」と関連付けられた適正なＩＤを有する携帯端末を携帯している。図６に示す利用者Ｂは、「切換権限」と関連付けられていない適正なＩＤを有する情報媒体を携帯している。図６に示す扉は、通常は施錠されている。扉は、読取装置により読み取られたＩＤが認証装置により認証された場合に、制御装置によって解錠されるものとする。初期設定では、制御装置が「有効状態」であるものとする。
【００２７】
図６は、利用者Ａが重要機材及びＶＩＰ等を伴って入退室を管理される部屋に入室した状態を示している。部屋に在室する利用者Ａが携帯端末を用いて切換操作を行うと、制御装置が「無効状態」となる。この状態では、利用者Ｂが入室を試みると、認証装置によるＩＤの認証は行われるが、扉は解錠されない。また、この状態では、利用者Ｃが遠隔管理システム６による遠隔制御で扉１の解錠を試みても、扉は解錠されない。ただし、「特権」と関連付けられたＩＤを有する情報媒体を携帯する利用者が入室を試みた場合は、扉が解錠される。
【００２８】
図６に示す状態で、利用者Ａが切換操作を再度行うと、制御装置は「有効状態」に戻る。また、図６に示す状態で、切換操作が行われてから予め設定された一定時間が経過した場合に、制御装置は「有効状態」に戻る。さらに、図６に示す状態で、携帯端末が扉を通って移動された場合にも、制御装置は「有効状態」に戻る。つまり、利用者Ａが退室した場合にも、制御装置は「有効状態」に戻る。
【００２９】
実施の形態１において、入退室管理システムは、記憶部３、読取部２及び制御部５を備えている。記憶部３は、ＩＤ及びＩＤと関連付けられた情報を記憶している。読取部２は、利用者が携帯する情報媒体からＩＤを読み取る。制御部５は、記憶部３に記憶されているＩＤが読取部２により読み取られた場合に扉１の解錠を行う。制御部５は、「切換権限」と関連付けられて記憶部３に記憶されているＩＤが読取部２により読み取られた後に当該ＩＤを有する情報媒体を用いた切換操作が行われた場合、記憶部３に記憶されているＩＤが読取部２により読み取られても扉１の解錠を行わない「無効状態」となる。このため、実施の形態１における入退室管理システムでは、入退室を管理される部屋に在室する利用者が扉１の解錠を制限することができる。これにより、例えば、利用者が重要機材及びＶＩＰ等を伴って部屋に入室した場合に、当該利用者が在室している間は他者の入室を拒むことができる。その結果、入退室を管理される部屋に在室する利用者の判断に基づいてセキュリティを向上することができる。
【００３０】
実施の形態１において、入退室管理システムは、制御部５を遠隔制御することにより扉１の解錠を行う遠隔管理システム６を備えている。制御部５は、「無効状態」である間は、遠隔管理システム６の遠隔制御による扉１の解錠を行わない。これにより、遠隔管理システム６により扉１が不正に解錠されることを防止できる。その結果、入退室を管理される部屋に在室する利用者の判断に基づいてセキュリティを向上することができる。
【００３１】
実施の形態１において、制御部５は、「無効状態」であっても、「特権」と関連付けられて記憶部３に記憶されているＩＤが読取部２により読み取られた際は、扉１の解錠を行う。これにより、扉１の解錠が制限されている場合であっても、「特権」と関連付けられたＩＤを有する情報媒体を携帯する利用者は、当該部屋に入室することができる。その結果、ＶＩＰ等の特定の利用者の利便性を向上することができる。
【００３２】
実施の形態１において、制御部５は、「無効状態」であるときに切換操作が再度行われた場合は、扉１の解錠を行うことが可能な「有効状態」に戻る。このため、扉１の解錠を制限した利用者は、必要に応じて容易に制限を解除することができる。
【００３３】
実施の形態１において、制御部５は、「無効状態」となってから予め設定された時間が経過した場合は、扉１の解錠を行うことが可能な「有効状態」状態に戻る。これにより、扉１の解錠がいつまでも制限され続けることを防止できる。
【００３４】
実施の形態１において、制御部５は、「無効状態」であるときに切換操作に用いられた情報媒体が扉１を通って移動された場合は、扉１の解錠を行うことが可能な「有効状態」状態に戻る。つまり、「無効状態」であるときに切換操作に用いられた情報媒体を携帯する利用者が部屋から退室した場合は、扉１の解錠を行うことが可能な「有効状態」状態に戻る。このため、扉１の解錠を制限した利用者は、退室する際に制限を解除するための切換操作を行う必要がない。
【００３５】
実施の形態１において、「切換権限」と関連付けられたＩＤを有する携帯端末は、読取部２と無線通信を行う。このため、携帯端末を携帯する利用者は、読取部２が部屋の外側に設けられていても室内で切換操作を行うことができる。
【００３６】
本発明における記憶部３は、「特権」と関連付けられたＩＤを１つも記憶していなくともよい。つまり、制御部５が「無効状態」のときに扉１を解錠できる権限を付与された利用者が存在しなくともよい。この場合も、入退室を管理される部屋に在室する利用者の判断に基づいてセキュリティを向上するという効果が得られる。
【００３７】
本発明における情報端末のうち、「切換権限」と関連付けられたＩＤを有する携帯端末以外は、読取部２と無線通信を行うものでなくともよい。携帯端末が備える操作部は、押しボタンでなくともよい。情報端末が有するＩＤは、「切換権限」及び「特権」の双方と関連付けられていてもよい。これらの場合であっても、実施の形態１と同様の効果が得られる。
【符号の説明】
【００３８】
１  扉、２  読取部、３  記憶部、４  認証部、５  制御部、６  遠隔管理システム
【図１】
2015176411.tif 000003
【図２】
2015176411.tif 000004
【図３】
2015176411.tif 000005
【図４】
2015176411.tif 000006
【図５】
2015176411.tif 000007
【図６】
2015176411.tif 000008